(57)【要約】【課題】  入力ボタン操作時のがたつきを防止でき、使用性に優れる携帯型計算機を提供する。【解決手段】  携帯型計算機１０は、第２の上面５１ｂ側に表示装置２１を設けた表示部２０と、表示部２０よりも手前側であって第１の上面５１ａ側に複数の入力ボタン３２を設けた入力部３０とを備え、入力部３０が、最も手前側に配置される入力ボタン３２ａの前端部３３より手前側に延在した延在部６０を有し、延在部６０が、前端部３３近傍の位置から手前側へ、下方に向かって緩やかに湾曲する湾曲面６１を有する。これにより、使用者の掌の手首寄りの部位が携帯型計算機１０に当たりにくくなり、入力ボタン３２を操作する際のがたつきが防止される。【選択図】  図１
2015099454.tif 000002
【特許請求の範囲】
【請求項１】
携帯型計算機であって、
上面側に表示装置を設けた表示部と、
前記表示部よりも手前側であって前記上面側に複数の入力ボタンを設けた入力部と、を備え、
前記入力部が、最も手前側に配置される入力ボタンの手前側端部より手前側に延在した延在部を有し、
前記延在部が、前記入力ボタンの手前側端部近傍の位置から手前側へ、下方に向かって湾曲する上面形状を有することを特徴とする携帯型計算機。
【請求項２】
前記延在部が、前記入力ボタンの手前側端部近傍の下面側の位置から手前側へ、上方に向かって傾斜する下面形状を有し、
前記入力部が、前記表示部の近傍の前記下面側に、回動させることで出し入れ可能な脚部を有していることを特徴とする請求項１に記載の携帯型計算機。
【請求項３】
前記入力部が、前記入力ボタンの手前側端部を基準に入力ボタンが配置されている側であって前記入力ボタンの手前側端部近傍の前記下面側に、ゴム足を有することを特徴とする請求項１又は請求項２に記載の携帯型計算機。
【請求項４】
前記入力部の最も前側に配置される入力ボタンは、ボタン上面が中央が盛り上がるような凸状の曲面で形成されることを特徴とする請求項１〜３のうち何れか１項に記載された携帯型計算機。
【発明の詳細な説明】
【技術分野】
【０００１】
本発明は、携帯型計算機に関する。
【背景技術】
【０００２】
従来、主に卓上で使用される電子式卓上計算機（一般に電卓と称される）が広く普及している（例えば、非特許文献１参照）。
【０００３】
一般に、電卓のような携帯型計算機は、表示部及びこの表示部の手前側の入力部を備えており、机などの載置面に置かれて使用される。使用者は、入力部を構成する複数の入力ボタンを指で押して数字などの情報を入力し、この入力した情報に基づいて演算処理された計算結果を表示部の画面で確認する。
【０００４】
ところで、入力ボタンをより迅速かつより正確に操作できる使用性の高い携帯型計算機が要望されている。
【０００５】
しかしながら、従来の携帯型計算機は、数字などを入力する際、入力ボタンよりも手前側の上面に使用者の手（特に掌の手首側の部位）が当たり易い構造である。このため、使用者の手によって、入力ボタンよりも手前側の上面が下方に押されることで、入力ボタン操作時に携帯型計算機にがたつきが生じる場合がある。この場合、入力ボタンを迅速かつ正確に操作しづらくなる。したがって、このような入力ボタン操作時における携帯型計算機のがたつきを防止し、携帯型計算機の使用性をより高める技術が求められている。
【先行技術文献】
【非特許文献】
【０００６】
【非特許文献１】［ｏｎｌｉｎｅ］、インターネット＜ＵＲＬ：http://casio.jp/dentaku/products/honkaku/honkaku/
【発明の概要】
【発明が解決しようとする課題】
【０００７】
本発明は、このような事情に鑑みてなされたものであり、その目的は、入力ボタン操作時のがたつきを防止でき、使用性に優れる携帯型計算機を提供することにある。
【課題を解決するための手段】
【０００８】
上記した課題を解決するために本発明の第１の観点に係る発明は、携帯型計算機であって、上面側に表示装置を設けた表示部と、前記表示部よりも手前側であって前記上面側に複数の入力ボタンを設けた入力部とを備え、前記入力部が、最も手前側に配置される入力ボタンの手前側端部より手前側に延在した延在部を有し、前記延在部が、前記入力ボタンの手前側端部近傍の位置から手前側へ、下方に向かって湾曲する上面形状を有することを特徴とする。
【０００９】
好ましくは、前記延在部が、前記入力ボタンの手前側端部近傍の下面側の位置から手前側へ、上方に向かって傾斜する下面形状を有し、前記入力部が、前記表示部の近傍の下面側に、回動させることで出し入れ可能な脚部を有している。
好ましくは、前記入力部が、前記入力ボタンの手前側端部を基準に入力ボタンが配置されている側であって前記入力ボタンの手前側端部近傍の前記下面側に、ゴム足を有する。
【発明の効果】
【００１０】
本発明によれば、入力ボタン操作時のがたつきを防止でき、使用性に優れる携帯型計算機を提供することができる。
【図面の簡単な説明】
【００１１】
【図１】本発明に係る実施形態の携帯型計算機の斜視図である。
【図２】図１に示される携帯型計算機の右側面図である。
【図３】図１に示される携帯型計算機の平面図である。
【図４】（ａ）は図３のＡ矢視図であり携帯型計算機の正面図、（ｂ）は（ａ）のＢ矢視図であり携帯型計算機の底面図である。
【図５】図３のＣ−Ｃ線断面図である。
【図６】図３のＤ−Ｄ線断面図である。
【図７】図５のＥ部拡大図である。
【図８】携帯型計算機の作用を説明する図である。
【図９】（ａ）は図７のＦ部拡大図、（ｂ）は第１の比較例を示す図、（ｃ）は第２の比較例を示す図である。
【発明を実施するための形態】
【００１２】
（実施形態）
以下、添付図面を参照して、本発明を実施するための形態（以下、「実施形態」と称する）について詳細に説明する。実施形態の説明の全体を通して同じ要素には同じ番号を付している。また、図面は、符号の向きに見るものとする。また、実施形態において、「上」、「下」、「左」、「右」は、各々、使用者が携帯型計算機に正対したときの方向を示し、「前」、「後」は、各々、使用者が携帯型計算機に正対したときの「手前」側、「奥」側を示す。
【００１３】
（携帯型計算機１０の全体構成）
携帯型計算機１０の全体構成を図１に基づいて説明する。
図１に示すように、実施形態の携帯型計算機１０は、載置面（卓上の一例）１１に置かれて四則演算や、その混合、応用計算などを行う略平板型の電卓であり、表示部２０と、この表示部２０よりも前側（本発明にいう「手前側」に相当）に設けられる入力部３０とを備える。また、携帯型計算機１０は、下部ケース４１及び上部ケース５１からなる本体ケース４０を有する。この本体ケース４０は、表示部２０及び入力部３０のそれぞれの基体を構成すると共に、各種の電子部品（例えば、回路基板など）を内部に収容する。
【００１４】
（携帯型計算機１０の各部の構成）
携帯型計算機１０の各部の構成を図２〜図７に基づいて説明する。
【００１５】
（下部ケース４１の構成）
図２に示すように、下部ケース４１は、入力部３０の下面側を構成する第１の下面４１ａと、表示部２０の下面側を構成する第２の下面４１ｂと、これら第１の下面４１ａ及び第２の下面４１ｂの左右の側端から上方に屈曲して上部ケース５１に合わさる左右の側面４１ｃとを有する。第２の下面４１ｂは、第１の下面４１ａの後端から後ろ上がりに傾斜する面で形成される。
【００１６】
（上部ケース５１の構成）
一方、上部ケース５１は、入力部３０の上面側を構成する第１の上面５１ａと、表示部２０の上面側を構成する第２の上面５１ｂとを有する。第１の上面５１ａは、第１の下面４１ａに対向すると共に第１の下面４１ａに対して所定の傾斜角θ１で後ろ上がりに傾斜している。また、第２の上面５１ｂは、第２の下面４１ｂに対向すると共に、第１の下面４１ａに対し、第１の上面５１ａよりもさらに所定の傾斜角θ２だけ後ろ上がりに大きく傾斜している。
【００１７】
このように、携帯型計算機１０では、第１の上面５１ａ及び第２の上面５１ｂが第１の下面４１ａに対して後ろ上がりに傾斜することで、入力部３０及び表示部２０が使用者側に向くように構成される。
【００１８】
（表示部２０の構成）
図３に示すように、表示部２０は、液晶表示素子やＥＬ（エレクトロルミネッセンス）表示素子などの平面型の表示素子からなる表示装置２１を有する。この表示装置２１は、上部ケース５１の第２の上面５１ｂ側の下部寄りに設けられ、入力部３０からの入力情報及び演算処理結果などを表す数字や文字、記号を電気光学的に表示する。なお、第２の上面５１ｂ側の上部寄りには、外部光を受光して発電するソーラパネル２２を設けてもよい。
【００１９】
（入力部３０の構成）
入力部３０は、小数の桁数などを設定するモードスイッチを含む複数のスイッチ３１と、複数の入力ボタン（キー）３２とを有する。これら複数のスイッチ３１及び複数の入力ボタン３２の個数や配列パターンは、この例に格別に限定されるものではなく、任意に設定可能である。
【００２０】
複数の入力ボタン３２は、数字などを入力する各種のボタンで構成される。各入力ボタン３２は、上部ケース５１の第１の上面５１ａ側において前後方向及び左右方向に沿って規則的に配列され、かつ、第１の上面５１ａから露出するように構成される。
【００２１】
また、入力部３０は、最も前側に配置される入力ボタン（本発明にいう「最も手前側に配置される入力ボタン」に相当）３２ａの前端部（本発明にいう「手前側端部」に相当）３３より前側に延在した延在部６０を有する。この延在部６０の詳しい構成については、後述する。なお、最も前側に配置される入力ボタン３２ａは、ボタン上面（キートップ）が中央がわずかに盛り上がるような凸状の曲面で形成されるのに対し、その他のキー３２の上面は、キートップの中央がわずかに凹んだ曲面で形成される。
【００２２】
（ゴム足３５及び脚部３６の構成）
図４（ａ）及び（ｂ）に示すように、入力部３０は、第１の下面４１ａ側にゴム足３５及び脚部３６を有する。
【００２３】
ゴム足３５は、その下面が載置面１１（図２参照）に接地することで、載置面１１（図２参照）における携帯型計算機１０の滑りを防止する部材である。このゴム足３５は、前端部３３（図２参照）を基準に入力ボタン３２が配置されている側であって前端部３３（図２参照）近傍の第１の下面４１ａ側に設けられる。ゴム足３５の個数、形状は任意であるが、この例では、左右方向に長い平面視で長円状の２個のゴム足３５を第１の下面４１ａの左右両端部に配置する。このゴム足３５の構成材料は、各種のゴム材料から任意に選定可能である。
【００２４】
脚部３６は、左右方向に長い略長方形状の部材で構成され、表示部２０近傍の第１の下面４１ａ側に配置される。第１の下面４１ａには、脚部３６の外形形状に合わせて形成された凹部３７が設けられる。脚部３６は、その基端側の長辺部３６ａが回動可能に設けられ、基端側の長辺部３６ａを中心に回動することで凹部３７に出し入れ可能に構成される。
【００２５】
図５に示すように、脚部３６を凹部３７から出して立てたときの携帯型計算機１０の使用形態では、第１の下面４１ａの前部においてゴム足３５が載置面１１に接地し、第１の下面４１ａの後部において脚部３６の先端側の長辺部３６ｂが載置面１１に接地する。そしてこの場合には、本体ケース４０の前縁４０ａは、載置面１１に接地していない。これにより、第１の下面４１ａの後部が載置面１１から浮くため、第１の下面４１ａが所定の傾斜角θ３で後ろ上がりに傾斜する。このように脚部３６を立てた使用形態では、第１の上面５１ａ及び第２の上面５１ｂのそれぞれが、傾斜角θ１及び傾斜角θ２に加え、傾斜角θ３だけさらに大きく後ろ上がりに傾斜する。その結果、表示部２０及び入力部３０が使用者側にさらに傾くため、使用者は、表示部２０及び入力部３０がより一層見易くなる。
【００２６】
なお、凹部３７に脚部３６を格納した場合、脚部３６の後側近傍に設けた凸部３８を載置面１１に接地させることができる（図６参照）。この凸部３８は、例えば、脚部３６の短辺方向の高さよりも小さい突出量で第１の下面４１ａから下方に突出した部分であり、凹部３７の後側近傍において左右方向に延びるリブ状に形成される。脚部３６を格納した場合、第１の下面４１ａの前部においてゴム足３５が載置面１１に接地し、第１の下面４１ａの後部においては凸部３８の下端が載置面１１に接地する。
【００２７】
（延在部６０の構成）
図７に示すように、延在部６０は、前端部３３より前側に延在する部分であり、前端部３３近傍の位置から前側へ、下方に向かって緩やかに湾曲する湾曲面（本発明にいう「上面形状」に相当）６１を有する。この例では、前端部３３近傍の位置から本体ケース４０の前縁４０ａにかけて、第１の上面５１ａに湾曲面６１を形成する。この湾曲面６１は、前下がりに形成される凸曲面であり、かつ、上部ケース５１の幅方向全体に渡って形成される。
【００２８】
また、延在部６０は、前端部３３近傍の第１の下面４１ａ側の位置から前側へ、上方に向かって緩やかに傾斜する傾斜面（本発明にいう「下面形状」に相当）６２を有する。この例では、ゴム足３５の前端部３５ａ近傍の位置から本体ケース４０の前縁４０ａにかけて、第１の下面４１ａに傾斜面６２を形成する。この傾斜面６２は、前上がりに形成される面であり、かつ、下部ケース４１の幅方向全体に渡って形成される。
【００２９】
（主要寸法の例示）
以上のように構成される携帯型計算機１０の主要寸法は、任意に設定可能であるが、携帯型計算機１０は、比較的に大きな外形寸法の携帯型計算機に好適である。より具体的には、入力ボタン３２を指で操作する際、使用者の掌の手首寄りの部位６３（図８参照）が延在部６０付近に位置する大きさの携帯型計算機に好適である。この種の携帯型計算機に適用した場合の主要寸法を例示すると、例えば、携帯型計算機１０の表示部２０の長さＬ１（図２参照）は７０ｍｍ程度、入力部３０の長さＬ２（図２参照）は１４０ｍｍ程度、表示部２０及び入力部３０の幅Ｗ（図３参照）は１５５ｍｍ程度である。
【００３０】
（実施形態の効果）
以上、説明した実施形態の効果を図８、図９に基づいて説明する。
図８は、携帯型計算機１０の作用効果を説明する図である。図９（ａ）は、図８のＦ部拡大図、（ｂ）は第１の比較例を示す図、（ｃ）は第２の比較例を示す図である。
【００３１】
実施形態の携帯型計算機１０では、最も前側に配置される入力ボタン３２ａの前端部３３近傍の位置より前側に延在した延在部６０に、下方に向かって緩やかに湾曲する上面形状を形成した。
【００３２】
これにより、図８及び図９（ａ）に示すように、使用者の掌の手首寄りの部位６３が携帯型計算機１０（より具体的には、湾曲面６１）に当たりにくくなる。
【００３３】
これに対し、図９（ｂ）に示すように、本体ケース１０１の前側の上面１０２を湾曲させずに略水平面に沿って形成した第１の比較例の携帯型計算機１００では、入力ボタン３２を操作する際、張り出した上面１０２に手首寄りの部位６３が当たり易い。このため、手首寄りの部位６３によって上面１０２が下方に押されると、下面１０３の後部が載置面１１から浮き上がるように、携帯型計算機１００が下面１０３の前縁１０５を支点に傾いてしまい、携帯型計算機１００にがたつきが生じる場合がある。
【００３４】
この点、本実施形態では、図９（ａ）に示すように、湾曲面６１が手首寄りの部位６３から逃げるように形成されており、掌の手首寄りの部位６３が本体ケース４０に当たりにくいため、携帯型計算機１０のがたつきが防止される。したがって、入力ボタン３２を操作する際のがたつきを防止でき、使用性に優れる携帯型計算機１０を提供することができる。
【００３５】
加えて、本実施形態においては、ゴム足３５の前端部３５ａ近傍の位置から前側へ、上方に向かって緩やかに傾斜する傾斜面６２を延在部６０に設けた。
【００３６】
これにより、脚部３６（図８参照）を出して携帯型計算機１０をより傾斜させて使用する場合であっても、図９（ａ）に示すように、本体ケース４０の前縁４０ａが載置面１１に干渉しない。
【００３７】
仮に、図９（ｃ）に示すように、本体ケース１１１の下面１１２を前縁１１３まで傾斜させずに形成した第２の比較例の構成について考える。この第２の比較例の延在部１１５の場合、携帯型計算機１１０をより傾斜させて使用すると、載置面１１に近接している前縁１１３が単に下がるため、前縁１１３と載置面１１とが干渉してしまう場合がある。この場合、載置面１１からゴム足３５が浮いてしまい、ゴム足３５による滑り防止効果を十分に得ることが難しくなる。
【００３８】
この点、本実施形態によれば、脚部３６（図８参照）を出して携帯型計算機１０をより傾斜させて使用する場合であっても、図９（ａ）に示すように、上方に向かって緩やかに傾斜する傾斜面６２によって本体ケース４０の前縁４０ａと載置面１１との干渉を避けることができ、載置面１１にゴム足３５をしっかりと接触させることができる。したがって、ゴム足３５による滑り防止効果を確実に得ることができる。
【００３９】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【００４０】
以下に、本願出願時の特許請求の範囲を付記する。
［請求項１］
携帯型計算機であって、
上面側に表示装置を設けた表示部と、
前記表示部よりも手前側であって前記上面側に複数の入力ボタンを設けた入力部とを備え、
前記入力部が、最も手前側に配置される入力ボタンの手前側端部より手前側に延在した延在部を有し、
前記延在部が、前記入力ボタンの手前側端部近傍の位置から手前側へ、下方に向かって湾曲する上面形状を有することを特徴とする携帯型計算機。
［請求項２］
前記延在部が、前記入力ボタンの手前側端部近傍の下面側の位置から手前側へ、上方に向かって傾斜する下面形状を有し、
前記入力部が、前記表示部の近傍の前記下面側に、回動させることで出し入れ可能な脚部を有していることを特徴とする請求項１に記載の携帯型計算機。
［請求項３］
前記入力部が、前記入力ボタンの手前側端部を基準に入力ボタンが配置されている側であって前記入力ボタンの手前側端部近傍の前記下面側に、ゴム足を有することを特徴とする請求項１又は請求項２に記載の携帯型計算機。
［請求項４］
前記入力部の最も前側に配置される入力ボタンは、ボタン上面が中央が盛り上がるような凸状の曲面で形成されることを特徴とする請求項１〜３のうち何れか１項に記載された携帯型計算機。
【符号の説明】
【００４１】
１０・・・携帯型計算機、２０・・・表示部、２１・・・表示装置、３０・・・入力部、３２・・・入力ボタン、３２ａ・・・最も前側に配置される入力ボタン（最も手前側に配置される入力ボタン）、３３・・・前端部（手前側端部）、３５・・・ゴム足、３６・・・脚部、４１ａ・・・第１の下面（下面）、５１ａ・・・第１の上面（上面）、５１ｂ・・・第２の上面（上面）、６０・・・延在部、６１・・・湾曲面（上面形状）、６２・・・傾斜面（下面形状）。
【図１】
2015099454.tif 000003
【図２】
2015099454.tif 000004
【図３】
2015099454.tif 000005
【図４】
2015099454.tif 000006
【図５】
2015099454.tif 000007
【図６】
2015099454.tif 000008
【図７】
2015099454.tif 000009
【図８】
2015099454.tif 000010
【図９】
2015099454.tif 000011